(57)【要約】【課題】高い強度を有し、且つ、部品点数を減らし、組み立てが容易なカム部を備えたプッシュプッシュタイプのカード用コネクタを提供する。【解決手段】ソケット１３と、ソケット１３を覆うように取り付けられたシェル２８と、ソケット１３及びシェル２８とで構成される空洞にカード部材と共に抜き差し方向に移動可能なスライダー４０を有し、カード部材が挿し込まれた際に、スライダー４０を所定の位置で係止し、且つ、カード部材を抜き出す際に、係止の解除を行なうロック機構１２を備えたカード用コネクタ１０において、ロック機構１２は、カム部５４と、クランクピン３５とで構成され、カム部５４は、金属性材料で形成されている。【選択図】図２
2015185422.tif 000002
【特許請求の範囲】
【請求項１】
ソケットと、前記ソケットを覆うように取り付けられたシェルと、前記ソケット及び前記シェルとで構成される空洞にカード部材と共に抜き差し方向に移動可能なスライダーを有し、前記カード部材が挿し込まれた際に、前記スライダーを所定の位置で係止し、且つ、前記カード部材を抜き出す際に、前記係止の解除を行なうロック機構を備えたカード用コネクタにおいて、
前記ロック機構は、カム部と、クランクピンとで構成され、
前記カム部は、金属性材料で形成されていることを特徴とするカード用コネクタ。
【請求項２】
前記カム部は、前記ソケット又は前記シェルに設けられた前記クランクピンが有するピン端部と係止される係止部を有し、前記スライダーと共に金属性材料で一体に形成されていることを特徴とする請求項１に記載のカード用コネクタ。
【請求項３】
前記ソケットには、前記スライダーを抜き出し方向に押圧する弾性部材が設けられていることを特徴とする請求項１に記載のカード用コネクタ。
【請求項４】
前記カム部の前記係止部と、前記クランクピンの前記ピン端部とは、平面視で異なる軸線上に位置することを特徴とする請求項２又は３に記載のカード用コネクタ。
【請求項５】
前記カム部は、ハートカムであることを特徴とする請求項１〜４のいずれかに記載のカード用コネクタ。
【請求項６】
前記カム部は前記ピン端部と接触される所定長さの傾斜部と前記係止部とを有し、
前記傾斜部は、前記スライダーが挿し込み方向へ移動されるのに伴い、前記傾斜部の傾斜に沿って前記クランクピンを弾性変形させながら前記ピン端部を前記係止部に誘導させ、
前記係止部は、前記ピン端部が前記傾斜部を外れたのち、前記スライダーが抜き出し方向へ移動されるのに伴い、前記ピン端部を係止させることを特徴とする請求項２〜４のいずれかに記載のカード用コネクタ。
【請求項７】
前記カム部は前記傾斜部の先端の位置と前記係止部の位置との間の位置に設けられた支持部を有し、
前記支持部は、前記クランクピンの前記ピン端部が前記傾斜部から外れたときに、前記ピン端部を支持し、
前記支持された前記ピン端部は、前記スライダーが抜き出し方向へ移動されるのに伴い、前記支持部から前記係止部へ移動されることを特徴とする請求項６に記載のカード用コネクタ。
【請求項８】
前記カム部は、前記スライダーの側面に形成されていることを特徴とする請求項１〜７のいずれかに記載のカード用コネクタ。
【請求項９】
前記クランクピンは、前記シェルと共に金属性材料で一体に成形されており、一方が前記シェルと繋がれ、他方が自由端となっており、弾性変形可能とされていることを特徴とする請求項１〜８のいずれかに記載のカード用コネクタ。
【請求項１０】
前記スライダーには、装着されるカード部材を位置決め固定するカード部材固定部が前記スライダーと共に金属性材料で一体に成形されていることを特徴とする請求項１〜９のいずれかに記載のカード用コネクタ。
【発明の詳細な説明】
【技術分野】
【０００１】
本発明は、ＳＩＭ（Subscriber Identity Module）カードやＳＤ（Secure Digital）カード等のカード部材が装着されるカード用コネクタに関し、詳しくは、カード部材が挿し込まれたときに所定の位置で固定され、再度、挿し込み方向に押動することでカード部材の固定を解除し、抜き出すことが可能な、いわゆるプッシュプッシュタイプの機構を備えたカード用コネクタに関する。
【背景技術】
【０００２】
近年、記録用媒体としてＳＩＭカードやＳＤカード等（以下、カード部材という。）を用いている電子機器や携帯端末装置等が増え、これらにカード部材を接続するためにカード用コネクタが搭載されている。そして、カード用コネクタの中でもカードの出し入れが容易に行えるように、カード部材を挿し込むことでカード用コネクタに装着できると共に、ワンタッチでカード部材が抜き出せる、いわゆるプッシュプッシュタイプのカード用コネクタが知られている。
【０００３】
例えば、下記特許文献１にはメモリカード用コネクタの発明が開示されている。下記特許文献１に開示されたメモリカード用コネクタの発明は、ハウジングの上面及び左右側面を覆うように取り付けられるシールド用のプレートと、挿入されたメモリカードをロックするロック機構と、ハウジングに一体形成されたコネクタピン保持部とを備え、ロック機構は、メモリカード挿入部に挿入されたメモリカードに係合してメモリカードを所定装着位置にロックするロック部材と、ロック部材を支持するスライダと、スライダをイジェクト方向へ付勢するイジェクト用のコイルバネと、スライダに形成されたハートカムに係合してスライダを装着位置に係止するロックピンとから構成されている。
【０００４】
下記特許文献１に開示されたメモリカード用コネクタの発明によれば、メモリカードをイジェクトする場合は、メモリカードを挿入方向へ押圧操作して最大押し込み位置へ移動させることにより、スライダのハートカムに係止されていたロックピンは、ハートカムから離間して傾斜カムに沿って反時計方向に回動し、ハートカムとロックピンとの係止が解除され、スライダがイジェクト方向へ復帰することが可能になる。そして、メモリカードの押圧操作を解除すると、メモリカードは、コイルバネのバネ力でイジェクト方向に付勢されたスライダと共にイジェクトされ、スライダがイジェクト方向へ移動するのに伴ってロックピンは、ハートカムから離間し、スライダは、ロックピンによる規制を受けずにイジェクト方向へ摺動する構成となっている。
【先行技術文献】
【特許文献】
【０００５】
【特許文献１】特開２００３−０８６２９６号公報
【発明の概要】
【発明が解決しようとする課題】
【０００６】
上記特許文献１に開示されたメモリカード用コネクタの発明に代表されるように、プッシュプッシュタイプの機構では、ループ状のカム、例えばハートカムが用いられ、このハートカムに沿ってピン部材が移動することで、カード部材の固定及び固定の解除がなされている。このとき、このハートカムは複雑な形状をしているため、樹脂材料で形成されている。そのため、カード部材が装着された時に、カード部材が無理に引き抜かれる場合等、ハートカムに大きな力が加わり、破損するおそれがある。ハートカムが破損してしまうと、カード用コネクタ全体の使用が不可能となり、修理や交換等が必要となる。
【０００７】
さらに、ピン部材は、弾性変形可能であり、且つ、高い強度を必要とするため、金属性材料で形成されている。そのため、金属製のピン部材が樹脂製のハートカムを摺動すると、このピン部材によりハートカムが削られ、変形や破損のおそれがある。
【０００８】
本発明はこのような従来技術が抱える課題を解決するためになされたもので、ロック機構を構成するカムの部分を金属性材料で形成することで、カード部材が引っ張られることによる破損を抑制し、また、ピン部材が摺動しても変形等を抑制するカード用コネクタを提供することを目的とする。さらに、カムの部分が形成されるスライダーと一体に形成することで、部品点数を減らし、組み立て易いカード用コネクタを提供することを目的とする。
【課題を解決するための手段】
【０００９】
上記課題を解決するために、本発明の第１の態様のカード用コネクタは、ソケットと、前記ソケットを覆うように取り付けられたシェルと、前記ソケット及び前記シェルとで構成される空洞にカード部材と共に抜き差し方向に移動可能なスライダーを有し、前記カード部材が挿し込まれた際に、前記スライダーを所定の位置で係止し、且つ、前記カード部材を抜き出す際に、前記係止の解除を行なうロック機構を備えたカード用コネクタにおいて、
前記ロック機構は、カム部と、クランクピンとで構成され、
前記カム部は、金属性材料で形成されていることを特徴とする。
【００１０】
また、第２の態様のカード用コネクタは、第１の態様のカード用コネクタにおいて、前記カム部は、前記ソケット又は前記シェルに設けられた前記クランクピンが有するピン端部と係止される係止部を有し、前記スライダーと共に金属性材料で一体に形成されていることを特徴とする。
【００１１】
また、第３の態様のカード用コネクタは、第１の態様のカード用コネクタにおいて、前記ソケットには、前記スライダーを抜き出し方向に押圧する弾性部材が設けられていることを特徴とする。
【００１２】
また、第４の態様のカード用コネクタは、第２又は第３の態様のカード用コネクタにおいて、前記カム部の前記係止部と、前記クランクピンの前記ピン端部とは、平面視で異なる軸線上に位置することを特徴とする。
【００１３】
また、第５の態様のカード用コネクタは、第１〜第４のいずれかの態様のカード用コネクタにおいて、前記カム部は、ハートカムであることを特徴とする。
【００１４】
また、第６の態様のカード用コネクタは、第２〜第４のいずれかの態様のカード用コネクタにおいて、前記カム部は前記ピン端部と接触される所定長さの傾斜部と前記係止部とを有し、
前記傾斜部は、前記スライダーが挿し込み方向へ移動されるのに伴い、前記傾斜部の傾斜に沿って前記クランクピンを弾性変形させながら前記ピン端部を前記係止部に誘導させ、
前記係止部は、前記ピン端部が前記傾斜部を外れたのち、前記スライダーが抜き出し方向へ移動されるのに伴い、前記ピン端部を係止させることを特徴とする。
【００１５】
また、第７の態様のカード用コネクタは、第６の態様のカード用コネクタにおいて、前記カム部は前記傾斜部の先端の位置と前記係止部の位置との間の位置に設けられた支持部を有し、
前記支持部は、前記クランクピンの前記ピン端部が前記傾斜部から外れたときに、前記ピン端部を支持し、
前記支持された前記ピン端部は、前記スライダーが抜き出し方向へ移動されるのに伴い、前記支持部から前記係止部へ移動されることを特徴とする。
【００１６】
また、第８の態様のカード用コネクタは、第１〜第７のいずれかの態様のカード用コネクタにおいて、前記カム部は、前記スライダーの側面に形成されていることを特徴とする。
【００１７】
また、第９の態様のカード用コネクタは、第１〜第８のいずれかの態様のカード用コネクタにおいて、前記クランクピンは、前記シェルと共に金属性材料で一体に成形されており、一方が前記シェルと繋がれ、他方が自由端となっており、弾性変形可能とされていることを特徴とする。
【００１８】
また、第１０の態様のカード用コネクタは、第１〜第９のいずれかの態様のカード用コネクタにおいて、前記スライダーには、装着されるカード部材を位置決め固定するカード部材固定部が前記スライダーと共に金属性材料で一体に成形されていることを特徴とする。
【発明の効果】
【００１９】
第１の態様のカード用コネクタによれば、ロック機構のカム部は金属材料で形成されているので、高い強度を得ることができ、カード部材が装着された際に、このカード部材に大きな負荷がかかっても、カム部の損傷や破損を抑制することができる。また、ピンがカム部を摺動しても、クランクピンにより削られることが抑制されるのでカム部の損傷や破損を抑制することができる。
【００２０】
第２の態様のカード用コネクタによれば、スライダーと共に金属材料で形成されているので、高い強度を得ることができる。なお、カム部は、金属製の板体を打ち抜き加工し、折り曲げ加工をすることでスライダーと共に一体に形成することができるので、製造が容易となる。
【００２１】
また、第３の態様のカード用コネクタによれば、弾性部材を設けることでカード部材の取り出しが容易となる。なお、弾性部材としては、スプリング等を使用することができる。
【００２２】
また、第４の態様のカード用コネクタによれば、係止部に係止されたクランクピンのピン端部は、スライダーを挿し込み方向に移動させることで係止部から外れるようになり、容易にクランクピンのピン端部の係止を解除させることができるようになる。
【００２３】
また、第５の態様のカード用コネクタによれば、ハートカムをスライダーと一体に金属性材料で形成することで、ハートカムの破損や削られることによる損傷等を抑制することができる。
【００２４】
また、第６の態様のカード用コネクタによれば、カム部を金属製の板体から容易に形成することができる。
【００２５】
また、第７の態様のカード用コネクタによれば、カム部を金属製の板体から容易に形成することができるようになる。さらに、支持部を設けることで、クランクピンのピン端部を係止部に係止させやすくなる。
【００２６】
また、第８の態様のカード用コネクタによれば、カム部をスライダーの側面に形成することで、カード用コネクタの低背化を図ることができる。
【００２７】
また、第９の態様のカード用コネクタによれば、クランクピンがシェルと一体に形成されていることで、部品点数を減らすことができ、組み立てを容易に行なうことができるようになる。
【００２８】
また、第１０の態様のカード用コネクタによれば、カード部材固定部がスライダーと一体に形成されているので、より部品点数を減らすことができ、組み立てを容易に行なうことができるようになる。
【図面の簡単な説明】
【００２９】
【図１】図１Ａは実施形態のカード用コネクタのカード部材を装着させる前の状態の斜視図であり、図１Ｂはカード部材を装着した状態のカード用コネクタの斜視図である。
【図２】実施形態のカード用コネクタの分解図である。
【図３】図３Ａは実施形態のカード用コネクタのソケットの斜視図であり、図３Ｂは平面図部であり、図３Ｃは一方から見た側面図である。
【図４】図４Ａは実施形態のカード用コネクタのシェルの斜視図であり、図４Ｂは底面図であり、図４Ｃは図４ＢのIVC部の拡大図であり、図４Ｄは一方から見た側面図である。
【図５】図５Ａは実施形態のカード用コネクタのスライダーの斜視図であり、図５Ｂは平面図であり、図５Ｃは一方から見た側面図である。
【図６】図６Ａは実施形態のカード用コネクタの組み立ての工程の一部を示した斜視図であり、図６Ｂは組み立て後のシェルのクランクピン以外を省略した平面図であり、図６Ｃは図６ＢのVIC部の拡大図である。
【図７】図７Ａは実施形態のカード用コネクタにカード部材の装着の過程をシェルを省略して示した斜視図であり、図７Ｂは装着後の斜視図である。
【図８】図８Ａ〜図８Ｄは実施形態のカード用コネクタのロック機構を説明する側面図である。
【発明を実施するための形態】
【００３０】
以下、図面を参照して本発明の実施形態を説明する。ただし、以下に示す実施形態は、本発明の技術思想を具体化するためのカード用コネクタを例示するものであって、本発明をこれに特定することを意図するものではない。また、本発明は、特許請求の範囲に含まれるその他の実施形態のものにも等しく適応し得るものである。
【００３１】
［実施形態］
図１〜図５を参照して、実施形態のカード用コネクタ（以下、単に「コネクタ」という。）１０について説明する。コネクタ１０は、図１Ａに示すように、平板状のカード部材５９が挿し込むことができる所定大きさの開口１１を一側面に有する箱状体で形成されている。そして、コネクタ１０の開口１１からカード部材５９を挿入し、所定の位置まで挿し込むことで、コネクタ１０に備えられたロック機構１２（図６及び図８参照）により固定され、図１Ｂに示すようにカード部材５９の装着が行なわれる。また、カード部材５９を取り外すときは、カード部材５９を挿し込み方向に押圧することで、ロック機構１２の固定が解除され、コネクタ１０内に設けられた弾性部材５８（図２参照）の弾性力により、コネクタ１０内から押し出され、カード部材５９を取り外すことができる。このような構成を有するコネクタは、いわゆるプッシュプッシュタイプと呼ばれるものである。
【００３２】
なお、カード部材５９としては公知のものを用いることができ、例えば、一方の面に後述するソケットが有する複数のコンタクト端子と接続される導体部（図示省略）を有した、いわゆるＳＩＭカードやＳＤカード等を用いることができる。
【００３３】
コネクタ１０は、図１及び図２に示すように、ソケット１３と、このソケット１３を覆うように取り付けられるシェル２８と、ソケット１３及びシェル２８により形成される空洞内を反復移動可能に設けられたスライダー４０と、スライダー４０をカード部材５９の抜き出し方向に押圧する弾性部材としてのスプリング５８とで構成されている。また、実施形態のコネクタ１０には、スライダー４０に設けられたカム部５４とシェル２８に設けられたクランクピン３５とで構成されるロック機構１２が備えられている。
【００３４】
ソケット１３は、図２及び図３に示されているように、カード部材５９が載置される所定面積を有する矩形状の底面１４と、カード部材５９が挿し込まれる前面１５と、この前面１５と対向する背面１６と、一方の側面１７及び他方の側面１８とで構成されている。これら背面１６、一方の側面１７及び他方の側面１８は、底面１４の３辺から立設して形成されている。
【００３５】
ソケット１３の底面１４は、カード部材５９が載置される大きさの面積を有しており、カード部材５９に設けられた導電部と接続される複数のコンタクト端子１９が設けられている。
【００３６】
また、ソケット１３の前面１５は、コネクタ１０として組み立てられたときにシェル２８と共に、カード部材５９が挿し込まれる開口１１となる部分である。なお、ソケット１３の前面１５には、一部を立設して形成された部分を有しており、シェル２８と組み合わされるようになっている。
【００３７】
また、ソケット１３の一方の側面１７は所定高さに立設した板状体で形成されており、一方の側面１７の前面１５側には、立設された一部が切り欠かれた部分を有している。この切り欠かれた部分は、後述するシェル２８に設けられたクランクピン３５がソケット１３の内部に配置されるクランクピン挿通部２１となっている（図６参照）。さらに、ソケット１３の内部には、一方の側面１７と近接する位置に、所定の隙間を有して一方の側面１７と平行に形成された板体が設けられている。この板体は、後述するスライダー４０が設けられるスライドレール２４であり、このスライドレール２４に板体に沿ってスライダーが移動する部分となる（図６参照）。
【００３８】
なお、スライドレール２４には、前面１５側から中間部分にかけて切り欠かれており、この切り欠かれた部分２４ａがあることにより、後述するスライダー４０に形成されるカード部材固定部４９（図６参照）が弾性変形することができるようになる。また、一方の側面１７とスライドレール２４との間の隙間は、スプリング５８が収容されるスプリング収容部２５となっている。
【００３９】
また、他方の側面１８は、所定の高さに立設した板状体で形成されており、所定の位置が切り欠かれており、カード部材５９が挿入されたことや正しく装着されたことを検知するスイッチ２２や、カード部材の書き込み防止を検知するスイッチ２３が設けられている。
【００４０】
また、ソケット１３の背面１６は、所定の高さに立設された板体で形成されている。この背面１６からはコンタクト端子１９と連通されて、基板（図示省略）と接続される接続片２０が突出している（図３Ｂ参照）。
【００４１】
なお、ソケット１３の前面１５、背面１６、一方の側面１７及び他方の側面１８のそれぞれには、シェル２８が取り付けられたときに係合する複数の係合突起２６が形成されている
【００４２】
また、ソケット１３は、１枚の金属製の板体を打ち抜き、折り曲げ加工することで、複数のコンタクト端子や両側面及び背面等となる部分を立設させ、この金属製の部材を樹脂材料によりでインサート成形することにより形成される。
【００４３】
シェル２８は、図２及び図４に示すように、ソケット１３を覆うことができる大きさの上面２９を有し、カード部材５９が挿し込まれる前面３０と、この前面３０と対向する背面３１と、一方の側面３２及び他方の側面３３で構成されている。
【００４４】
シェル２８の前面３０は、ソケット１３と組み合わされることでカード部材５９が挿入される開口１１が形成されるようになっている。また、シェル２８の前面３０には、カード部材５９を開口１１に導入しやすくするために反り部３０ａが形成されている。なお、シェル２８の前面３０には、上面２９の一部が延設され、ソケット１３と組み合わされる小さな板体が垂下されて形成されている。
【００４５】
シェル２８の背面３１は、上面２９の端辺から垂下された板体で形成されている。このとき、ソケット１３のスプリング収容部２５と対応する部分には、他の背面より後方に設けられた部分を有している。
【００４６】
また、シェル２８の一方の側面３２は、上面２９の端辺から垂下された板体で形成されている。また、一方の側面３２の前面３０側には、切り欠かれた部分を有しており、この切り欠かれた部分には、シェル２８の内側に向かって延設されたクランクピン３５が金属製のシェル２８と一体に形成されている。
【００４７】
クランクピン３５は、シェル２８の一方の側面３２からシェル２８の内側に向かって屈曲されて延設されたピン屈曲部３６と、ピン屈曲部３６から一方の側面３２に沿って延設されたピン延設部３７と、ピン延設部３７からさらにシェル２８の内側にピン延設部３７に対して直角に延設されたピン端部３８とで構成されている。クランクピン３５は、後述するスライダー４０に形成されたカム部５４と共にコネクタ１０のロック機構１２を構成する部分となる（図６参照）。
【００４８】
また、シェル２８の一方の側面３２のスプリング収容部２５と対応する部分は、他の上面２９より低くなるように形成されており、内部に設置されたスプリング５８の動きを規制するスプリング規制部３４となっている。このスプリング規制部３４が設けられることにより、スプリングが弾性変形する際に、直線状の動きとなるように規制することができる。
【００４９】
また、シェル２８の他方の側面３３には、上面２９から垂下された板体で形成されており、この板体にソケット１３に設けられた各スイッチ２２、２３と対応するように切り込みが形成されている。この切れ込みにより、各スイッチが動作できるようになっている。
【００５０】
なお、シェル２８の前面３０、背面３１、一方の側面３２及び他方の側面３３には、ソケット１３に組み合わされるとき、ソケット１３に形成された係合突起２６と係合される係合溝３９がそれぞれ形成されている。
【００５１】
また、シェル２８はクランクピン３５と共に、１枚の金属板を打ち抜き、折り曲げ加工することで形成される。
【００５２】
次に、スライダー４０は、図２及び図５に示すように、金属性材料により略Ｌ字状に形成されており、カード部材５９と当接される押動部４１と、押動部４１に対していて直角に形成されたスライド部４５とで構成されている。
【００５３】
スライダー４０の押動部４１は、カード部材５９が挿し込まれたときには、このカード部材５９の先端により押圧される部分であると共に、カード部材５９を取り出す際にはカード部材５９を押圧する部分となる。
【００５４】
押動部４１は、所定の長さの板体４２で形成され、この板体４２のスライド部４５とは反対側の端部４３は下方に垂下されて形成されている。また、板体４２のカード部材５９と当接する側には、傾斜した部分４４が形成されている。この傾斜した部分４４は、カード部材５９の形状（図１Ａ参照）に対応しており、カード部材５９が正しい向きで挿し込まれたかを確認することができる部分となっている。また、垂下された端部４３は、カード部材５９の先端と当接する部分を大きくし、カード部材５９によりスライダー４０を押圧しやすくすると共に、スライダーによりカード部材を押圧しやすくするためのものである。
【００５５】
スライド部４５は、コネクタ１０に組み合わされる際、ソケット１３に形成されたスライドレール２４と対応する位置に配置され、このスライドレール２４上を移動できるように形成されている。スライド部４５は、中央にスライドレール２４に沿って移動するガイド部４６を有し、このガイド部４６を挟んで、押動部４１側に設けられるスライド内側面４７と押動部４１とは反対側に設けられるスライド外側面５０とで構成されている。なお、押動部４１はガイド部４６と連結されている。
【００５６】
スライド内側面４７は、所定長さの板状部材４８が押動部４１とは反対側に延設されており、その端部が屈曲されている。この屈曲された部分は、カード部材５９に形成された凹部６０（図６参照）と嵌合し、カード部材５９を固定するためのカード部材固定部４９となっている。このカード部材固定部４９は、従来、スライダーとは別部材で形成されていたが、これらを一体に形成することで、部品点数を少なくすることができ、また、組み立てを容易にすることができる。
【００５７】
また、スライド外側面５０は、スライド内側面４７より長い板状部材５１が押動部４１とは反対側に延設されている。スライド外側面５０の押動部４１側には、ソケット１３に設けられたスプリング収容部２５に載置されるとともに、スプリング５８が設置されるスプリング設置部５２を有している。このスプリング設置部５２には、スプリング５８が当接されるスプリング押圧片５３がスプリング設置部５２から立設して形成されている。
【００５８】
また、スライド外側面５０の押動部４１とは反対側の端部には、カム部５４が設けられている。このカム部５４は、スライダー４０の移動に伴い、シェル２８に形成されたクランクピン３５のピン端部３８が摺動すると共に、ピン端部３８を係止する部分となる。カム部５４の構成は、スライド部４５の延在方向に対して所定の角度を有する傾斜部５５と、クランクピン３５のピン端部３８が係止される係止部５６と、傾斜部５５の頂部と係止部５６との間の位置に設けられた支持部５７とを有している。
【００５９】
この傾斜部５５は、一方の端部は係止部５６より下方となる位置まで形成され、他方の端部は、係止部５６より高い位置であり、係止部５６を越える位置まで形成されている。また、係止部５６は、ピン端部３８が係止される垂直部と、ピン端部３８が摺動する水平部とを有するＬ字状で形成されている。このとき、係止部５６の垂直部の頂部が傾斜部と近接して形成されている。支持部５７は、ピン端部３８を支持する水平部と水平部を形成するために屈曲された屈曲部とで形成されている。なお、カム部の形状は、これに限らず、いわゆるハートカム式のループ状の形状であればよい。
【００６０】
なお、このカム部５４を含むスライダー４０は、１枚の板体を打ち抜き、折り曲げ加工することによって形成されている。特にカム部５４は、従来、樹脂材料で形成されたが、このような形状とすることで金属製のスライダーと一体に形成することができるようになり、高い強度を得ることができる。
【００６１】
また、スライダー４０がソケット１３に組み合わされたとき、カム部５４の係止部５６は、ソケット１３の底面１４を基準としたときシェル２８に設けられたクランクピン３５のピン端部３８が配置される位置より高い位置に形成されている（図８参照）。
【００６２】
なお、スライダー４０のカム部５４は、シェル２８のクランクピン３５と組み合わされて、コネクタ１０のロック機構１２が構成されるようになる。
【００６３】
また、スプリング５８は、図２に示すように、所定の長さであって、ソケット１３のスプリング収容部２５に収容可能な径を有するものとなっている。そして、スプリング５８は、ソケット１３に設けられたスプリング収容部２５の背面１６側とスライダー４０に形成されたスプリング設置部５２のスプリング押圧片５３との間に設置される。なお、スプリングは、これに限らず他の弾性部材を使用することができる。
【００６４】
次に、コネクタ１０の組み立てについて図２及び図６を参照して説明する。まず、ソケット１３を用意する。ソケット１３は、上述したように、１枚の金属製の板状体を打ち抜き、折り曲げ加工を行い、複数のコンタクト端子１９及び側面等となる部分を形成し、その後、加工後の板状体に樹脂材料をインサート成形することで形成される（図３参照）。
【００６５】
次に、ソケット１３にスライダー４０を取り付ける。この取り付けは、スライダー４０のガイド部４６をソケット１３のスライドレール２４に合わせることで行なわれる。スライダー４０が取り付けられたら、スライダー４０のスプリング設置部５２及びソケット１３のスプリング収容部２５にスプリング５８を設置させる。このとき、スプリング５８の各端部は、一方がソケット１３のスプリング収容部２５の背面１６側に当接し、他方が、スライダー４０のスプリング設置部５２のスプリング押圧片５３に当接するように設置される。
【００６６】
その後、シェル２８をソケット１３に取り付けることでコネクタ１０の組み立てが完了する。このとき、ソケット１３に形成された係合突起２６とシェル２８に形成された係合溝３９とがそれぞれ係合される。なお、図８に示すように、ソケット１３にシェル２８を取り付けたとき、シェル２８に設けられたピン端部３８は、スライダー４０のカム部５４の係止部５６より低い位置に設けられるようになり、また、カム部５４の傾斜部５５の下方の一方の端部より高い位置に配置されるようになる。
【００６７】
以上のように、実施形態のコネクタによれば、カード部材固定部がスライダーと一体に形成され、クランクピンがシェルと一体に形成されていることで、これらが別部材で形成されていたものより、組み立てが容易に行なうとことができる。
【００６８】
次に、コネクタ１０へのカード部材５９の装着及びコネクタ１０からのカード部材５９の取り外しについて図１及び図６〜図８を参照して説明する。
【００６９】
カード部材５９をコネクタ１０へ装着させる場合は、図１Ａに示すように、向きを合わせたカード部材５９を、コネクタ１０の開口１１に挿入する。このとき、図７Ａに示すように、カード部材５９の先端がスライダー４０の押動部４１に当接するまで挿し込まれる。その際、カード部材５９が押動部４１に当接される前にスライダー４０が移動しないようするために、カード部材５９が挿し込まれたとき、ソケット１３の一方の側面１７に形成された突起片２７にスライダー４０のスプリング押圧片５３の一部が接触した状態となり、カード部材５９の先端がスライダー４０の押動部４１を所定の力で押圧されるまでスライダー４０の移動が規制されるようになっている（図６参照）。このとき、クランクピン３５のピン端部３８は図８Ａの位置（ａ）にある。
【００７０】
次に、カード部材５９を挿し込み方向に押圧することで、スライダー４０がスプリング５８を弾性変形させながら移動する。スライダー４０が移動すると、図８Ａに示すように、まず、シェル２８に設けられたクランクピン３５のピン端部３８が配置された位置（ａ）に向かってスライダー４０に設けられたカム部５４の傾斜部５５が接近し、接触される（図８Ａの位置（ｂ））。このとき、ソケット１３の底面を基準として、クランクピン３５及びピン端部３８の位置は、カム部５４の係止部５６より低い位置に配置されているので、係止部５６より低い位置まで延設された傾斜部５５もピン端部３８と接触されるようになっている。
【００７１】
その後、さらに、スライダー４０が移動すると、ピン端部３８は傾斜部５５の傾斜を摺動しながら上方へ向かい、位置（ｃ）まで移動する。このとき、ピン端部３８と一体に形成されたピン延設部３７が徐々に弾性変形され、弾性力が蓄えられている状態となっている。そして、ピン端部３８が傾斜部５５の頂部を越えた位置（ｄ）まで移動すると、ピン端部３８は、ピン延設部３７の蓄えられた弾性力により下方に向かい、カム部５４の支持部５７に支持される位置（ｅ）に移動することになる。このとき、カード部材５９が最も押し込まれた状態となり、スライダーの挿し込み方向への移動が終了する。
【００７２】
次に、カード部材５９の押圧をやめることで、図８Ｂに示すように、スライダー４０はカード部材５９と共にスプリング５８の弾性力によりカード部材５９の抜き出し方向へ移動される。そして、スライダー４０の移動に伴い、ピン端部３８も支持部５７上を係止部５６の方向に摺動し、支持部５７から外れる位置（ｆ）から、ピン延設部３７の弾性力によりピン端部３８は下方に向かい、位置（ｇ）に移動し、係止部５６に係止されるようになる。ピン端部３８が係止部５６に係止されることで、スライダー４０の移動がロックされ、カード部材５９がコネクタ１０に装着された状態となる。
【００７３】
次に、カード部材５９をコネクタ１０から取り外す場合について説明する。図１Ｂ及び図７Ｂのコネクタ１０にカード部材５９が装着された状態から、カード部材５９を挿し込み方向に押圧すると、スライダー４０が挿し込み方向に移動すると共に、図８Ｃに示すように、ピン端部３８が位置（ｇ）の状態から係止部５６を支持部５７の方向に摺動して係止部５６から外れる位置（ｈ）に移動する。そして、ピン端部３８はピン延設部３７が有する弾性力により下方の位置（ｉ）に移動する。
【００７４】
その後、カード部材５９の押圧を止めることで、スプリング５８の弾性力によりスライダー４０と共にカード部材５９が抜き出し方向に押し出されるようになり、カード部材５９をコネクタ１０から取り外すことが可能となる。このとき、ピン端部３８は、図８Ｄに示すように、スライダー４０の移動に伴い、ピン端部３８は傾斜部５５と当接し（図８Ｄの位置（ｊ））、その後、傾斜部５５に沿って弾性変形し（図８Ｄの位置（ｋ））、位置（ａ）に配置されることになる。以上の工程により、実施形態のコネクタへのカード部材の装着と取り外しが行なわれる。
【００７５】
実施形態のようなコネクタの構成とすることで、コネクタへのカード部材の装着及び取り外しにより、スライダーに設けられたカム部をクランクピンのピン端部が摺動したり、係止したりするが、実施形態のカム部は金属製のスライダーと一体に形成されているので、従来の樹脂で形成されたカム部のように、削られることがない。また、カム部にピン端部が係止された状態で、カード部材に外力が加わっても、カム部が金属製であるので、高い強度を有し、破損することが抑制される。なお、カム部は、いわゆるハートカムとしてもよい。
【符号の説明】
【００７６】
１０：カード用コネクタ  １１：開口  １２：ロック機構  １３：ソケット  １４：底面  １５：前面  １６：背面  １７：一方の側面  １８：他方の側面  １９：コンタクト端子  ２０：接続片  ２１：クランクピン挿通部  ２２、２３：スイッチ  ２４：スライドレール  ２４ａ：切り欠かれた部分  ２５：スプリング収容部  ２６：係合突起  ２７：突起片  ２８：シェル  ２９：上面  ３０：前面  ３０ａ：反り部  ３１：背面  ３２：一方の側面  ３３：他方の側面  ３４：スプリング規制部  ３５：クランクピン  ３６：ピン屈曲部  ３７：ピン延設部  ３８：ピン端部  ３９：係合溝  ４０：スライダー  ４１：押動部  ４２：板体  ４３：端部  ４４：傾斜した部分  ４５：スライド部  ４６：ガイド部  ４７：スライド内側面  ４８：板状部材  ４９：カード部材固定部  ５０：スライド外側面  ５１：板状部材  ５２：スプリング設置部  ５３：スプリング押圧片  ５４：カム部  ５５：傾斜部  ５６：係止部  ５７：支持部  ５８：スプリング  ５８：弾性部材  ５９：カード部材  ６０：凹部  
【図１】
2015185422.tif 000003
【図２】
2015185422.tif 000004
【図３】
2015185422.tif 000005
【図４】
2015185422.tif 000006
【図５】
2015185422.tif 000007
【図６】
2015185422.tif 000008
【図７】
2015185422.tif 000009
【図８】
2015185422.tif 000010